(57)【要約】　【課題】画質を劣化させることなしにテレビ付きのドアホン親機から同一階の離れた部屋や上位階に設置されたテレビ付きのドアホン副親機へのバス配線の引き回しを少なくすることができ、施工性の向上が図れるテレビドアホン装置を提供する。　【解決手段】ドアホン親機２０にケーブル５０を介して接続されドアホン親機２０からの映像信号を受信して映像を映し出すテレビ付きのドアホン副親機３０を備え、ドアホン親機２０は、トランジスタを含むエミッタ接地増幅回路を有し映像信号を増幅する映像信号増幅回路２２７、上記トランジスタのコレクタに出力用であって不平衡−平衡変換を行うトランスの１次側を接続した映像信号出力トランス回路２２８を介して、両端がケーブル５０の特性インピーダンスと略等しいインピーダンスを有する終端装置６０で終端されたケーブル５０に接続され、ドアホン親機２０より２系統のバス配線を可能とした。【選択図】　　　図１
2004007824.tif 000002
【特許請求の範囲】
【請求項１】
　来訪者を撮像するテレビカメラを有するドアホン子機と、前記テレビカメラで撮像された映像を映し出すテレビ付きのドアホン親機と、前記ドアホン親機にケーブルを介して接続され前記ドアホン親機からの映像信号を受信して映像を映し出すテレビ付きのドアホン副親機とを備えたテレビドアホン装置であって、前記ドアホン親機は、トランジスタを含むエミッタ接地増幅回路を有し映像信号を増幅する映像信号増幅回路、前記エミッタ接地増幅回路のトランジスタのコレクタに出力用であって不平衡−平衡変換を行うトランスの１次側を接続した映像信号出力トランス回路を介して、両端がケーブルの特性インピーダンスと略等しいインピーダンスを有する終端装置で終端された前記ケーブルに接続され、前記ドアホン親機より２系統のバス配線を可能としたことを特徴とするテレビドアホン装置。
【発明の詳細な説明】
【技術分野】
【０００１】
　本発明は、家人が屋内の複数箇所で来訪者を画像によって確認でき且つ家人と来訪者との間で通話ができるテレビドアホン装置に関するものである。
【背景技術】
【０００２】
　一般に、この種のテレビドアホン装置は、図８に示すように、住宅の玄関先に配置されるカメラ付きのドアホン子機１０と、屋内に配置されるテレビ付きのドアホン親機２０と、ドアホン子機１０とドアホン親機２０とを接続するケーブル４０と、ドアホン親機２０と別の部屋に配置されるテレビ付きのドアホン副親機３０と、ドアホン親機２０とドアホン副親機３０を接続するケーブル５０とで構成されている（例えば、特許文献１参照）。ここに、ドアホン子機１０は、接続端子１１２に接続されたケーブル４０を介してドアホン親機２０の接続端子２１９に接続されている。また、ドアホン親機２０からの映像信号を受信するドアホン副親機３０の接続端子３１２は、ドアホン親機２０の接続端子２２０にケーブル５０で接続されており、来訪者の映像は、ドアホン子機１０からドアホン親機２０に送られ、さらに、ドアホン親機２０からドアホン副親機３０に送られる。
【０００３】
　ドアホン子機１０は、図９に示すように、来訪者を撮像するテレビカメラを有するカメラユニット１０１と、カメラユニット１０１からの映像信号を変調する映像信号変調回路１０２と、ドアホン親機２０又はドアホン副親機３０を介して家人と通話するための受話用スピーカ１０３及び送話用マイク１０５と、受話用スピーカ１０３を駆動する受話アンプ１０４と、送話用マイク１０５からの音声を増幅する送話アンプ１０６と、送話信号と受話信号の２信号を１対の線路で扱うための２線４線変換回路１０７と、ドアホン親機２０からケーブル４０を介して供給されるＤＣ電源を安定化してカメラユニット１０１、映像信号変調回路１０２、受話アンプ１０４、送話アンプ１０６、２線４線変換回路１０７へ電源を供給する電源回路１０８と、家人を呼び出すための押釦１０９と、映像信号と音声信号を２線に多重化するための多重回路１１０と、ドアホン親機２０と接続するための端子１１２と、接続線（ケーブル４０）の接続を無極性にするためのダイオードブリッジ１１１とを備えている。
【０００４】
　一方、ドアホン親機２０は、図１０に示すように、平衡−不平衡変換を行うトランス、バンドパスフィルタなどで構成されドアホン子機１０からの映像信号を受信する映像信号受信回路２０３と、映像信号受信回路２０３で受信された映像信号を復調する映像信号復調回路２０１と、映像信号復調回路２０１にて復調された映像信号による映像を映し出すテレビ２０２と、ドアホン副親機３０へ送出する映像信号を増幅するバッファアンプ２０４と、ドアホン副親機３０へ良好な映像信号を伝送するための不平衡−平衡変換を行うトランス、バンドパスフィルタなどで構成されドアホン副親機３０へ映像信号を送出するための映像信号送信回路２０５と、ドアホン子機１０側の来訪者と通話するためのハンドセット２０９と、ハンドセット２０９のレシーバ２０９ａを駆動する受話アンプ２０７と、ハンドセット２０９のマイク２０９ｂからの音声を増幅する送話アンプ２０８と、送話信号と受話信号の２信号を１対の線路で扱うための２線４線変換回路２０６と、ドアホン子機１０とドアホン副親機３０の通話路の接続切り替えを行う通話切り替えスイッチ２１１と、ドアホン子機１０から呼び出されたか否かを認識するための呼出釦押下検出回路２１２と、呼出釦押下検出回路２１２から得られた信号に基づいてテレビ２０２のオン／オフの制御を行うなどのドアホン親機２０の内部回路の制御を行うとともにドアホン副親機３０へ制御信号を送出するためのＣＰＵ２１３と、ドアホン副親機３０へ送出する制御信号を変調するとともにドアホン副親機３０から送出された制御信号を復調するための制御信号変復調回路２１４と、ドアホン子機１０への電源を２線に重畳し電源供給するための子機用ＤＣ電源重畳回路２１６と、ドアホン副親機３０への電源を２線に重畳し電源供給するための副親機用ＤＣ電源重畳回路２１８と、電源コードを介して接続される商用電源（ＡＣ１００Ｖ）からドアホン親機２０の内部電源をつくるとともに子機用ＤＣ電源重畳回路２１６及び副親機用ＤＣ電源重畳回路２１８に電源を供給する電源回路２１７と、ドアホン子機１０からの音声信号及び映像信号を２線から分離するとともにドアホン親機２０（またはドアホン副親機３０）からドアホン子機１０への音声信号を２線に多重化するためのドアホン子機用多重回路２１０と、ドアホン副親機３０からの音声信号と制御信号を２線から分離するととともにドアホン親機２０からドアホン副親機３０への映像信号及び音声信号及び制御信号を２線に多重化するためのドアホン副親機用多重回路２１５と、ドアホン子機１０と接続するための端子２１９と、ドアホン副親機３０と接続するための端子２２０とを備えている。
【０００５】
　また、ドアホン副親機３０は、図１１に示すように、平衡−不平衡変換を行うトランス、バンドパスフィルタなどで構成されドアホン親機２０から送られた映像信号を受信する映像信号受信回路３０１と、映像信号受信回路３０１にて受信された映像信号を復調する映像信号復調回路３０２と、映像信号復調回路３０２にて復調された映像信号による映像を映し出すテレビ３０３と、ドアホン子機１０側の来訪者またはドアホン親機２０側の他の家人と通話するためのハンドセット３０８と、ハンドセット３０８のレシーバ３０８ａを駆動する受話アンプ３０６と、ハンドセット３０８のマイク３０８ｂからの音声を増幅する送話アンプ３０７と、送話信号と受話信号の２信号を１対の線路で扱うための２線４線変換回路３０５と、ドアホン親機２０からの映像信号のキャリア信号の検出または同期信号の検出または制御信号の検出に基づいてテレビ３０３のオン／オフ制御をするなどのドアホン副親機３０の内部回路の制御を行うとともにドアホン親機２０へ制御信号を送出するためのＣＰＵ３１０と、ドアホン親機２０へ送出する制御信号を変調するとともにドアホン親機２０から送出された制御信号を復調するための制御信号変復調回路３０９と、ドアホン親機２０から供給されるＤＣ電圧を安定化してドアホン副親機３０の内部回路へ電源を供給する電源回路３１１と、ドアホン親機２０からの音声信号及び映像信号及び制御信号を２線から分離するとともにドアホン副親機３０からドアホン親機２０への音声信号、制御信号を２線に多重化するための多重回路３０４と、ドアホン親機２０と接続するための端子３１２とを備えている。
【０００６】
　次に、この種のテレビドアホン装置の住戸内におけるバス配線の一例について図１２及び図１３に基づいて説明する。住戸Ａの玄関先に取り付けられたドアホン子機１０は、ケーブル４０を介して住戸Ａ内の一室に設置されたドアホン親機２０に接続されている。また、ドアホン親機２０から住戸Ａ内の同一階や上位階の他の部屋に設置された複数のドアホン副親機３０への配線は、ケーブル５０によりバス配線１系統で接続されており、バス配線の終端は、抵抗などで構成される終端装置６０により終端されている。終端装置６０は、例えば、ケーブル５０の特性インピーダンスと等しい大きさの抵抗値を有する抵抗で構成されている。
【特許文献１】特開平７−１５７２４号公報
【発明の開示】
【発明が解決しようとする課題】
【０００７】
　ところで、上記従来のテレビドアホン装置では、室内バス配線が１系統しかないので、ドアホン副親機３０の数を増やして同一階の離れた部屋や上位階に配線する場合、住戸Ａ内に配線を引き回す必要があり、施工性が大変悪かった。
【０００８】
　本発明は、上記事由に鑑みて為されたものであり、その目的は、画質を劣化させることなしにテレビ付きのドアホン親機から同一階の離れた部屋や上位階に設置されたテレビ付きのドアホン副親機へのバス配線の引き回しを少なくすることができ、施工性の向上が図れるテレビドアホン装置を提供することにある。
【課題を解決するための手段】
【０００９】
　請求項１の発明は、来訪者を撮像するテレビカメラを有するドアホン子機と、前記テレビカメラで撮像された映像を映し出すテレビ付きのドアホン親機と、前記ドアホン親機にケーブルを介して接続され前記ドアホン親機からの映像信号を受信して映像を映し出すテレビ付きのドアホン副親機とを備えたテレビドアホン装置であって、前記ドアホン親機は、トランジスタを含むエミッタ接地増幅回路を有し映像信号を増幅する映像信号増幅回路、前記エミッタ接地増幅回路のトランジスタのコレクタに出力用であって不平衡−平衡変換を行うトランスの１次側を接続した映像信号出力トランス回路を介して、両端がケーブルの特性インピーダンスと略等しいインピーダンスを有する終端装置で終端された前記ケーブルに接続され、前記ドアホン親機より２系統のバス配線を可能としたことを特徴とする。
【００１０】
　この発明によれば、映像信号はトランスにより平衡出力されるので、コモンモードノイズによる影響を受けにくく、また、ドアホン親機はトランジスタを含むエミッタ接地増幅回路を有し映像信号を増幅する映像信号増幅回路、前記エミッタ接地増幅回路のトランジスタのコレクタに出力用であって不平衡−平衡変換を行うトランスの１次側を接続した映像信号出力トランス回路を介して、両端がケーブルの特性インピーダンスと略等しいインピーダンスを有する終端装置で終端されたケーブルに接続されるので、ケーブルの線路インピーダンスが低下したり終端とのインピーダンス不整合を生じたりすることもなく、映像信号の反射による画質劣化が少ないから、ドアホン副親機の数を増やした場合にはバス配線を２系統にすることにより、画質劣化なしにドアホン副親機への配線の引き回しを少なくすることができ、施工性を向上させることができる。
【発明の効果】
【００１１】
　本発明では、映像信号はトランスにより平衡出力されるので、コモンモードノイズによる影響を受けにくく、また、ドアホン親機はトランジスタを含むエミッタ接地増幅回路を有し映像信号を増幅する映像信号増幅回路、前記エミッタ接地増幅回路のトランジスタのコレクタに出力用であって不平衡−平衡変換を行うトランスの１次側を接続した映像信号出力トランス回路を介して、両端がケーブルの特性インピーダンスと略等しいインピーダンスを有する終端装置で終端されたケーブルに接続されるので、ケーブルの線路インピーダンスが低下したり終端とのインピーダンス不整合を生じたりすることもなく、映像信号の反射による画質劣化が少ないから、ドアホン副親機の数を増やした場合にはバス配線を２系統にすることにより、画質劣化なしにドアホン副親機への配線の引き回しを少なくすることができ、施工性を向上させることができるという効果がある。
【発明を実施するための最良の形態】
【００１２】
　まず、後述の実施形態の参考例を説明し、その後で実施形態を説明する。
【００１３】
　（参考例１）
　本参考例のテレビドアホン装置では、図４及び図５に示すように、ドアホン親機２０からドアホン副親機３０へ、ケーブルの特性インピーダンスと略等しいインピーダンスで終端された２系統のバス配線を設けたことを特徴とするものである。なお、ドアホン子機１０、ドアホン親機２０、ドホアン副親機３０の基本構成はそれぞれ、図９、図１０、図１１に示した従来構成と略同じなので説明を省略する。
【００１４】
　住戸Ａの玄関先の映像を撮像するカメラ付きのドアホン子機１０は、ケーブル４０を介して住戸Ａ内に設置されたテレビ付きのドアホン親機２０に接続されている。また、住戸Ａ内の同一階の各部屋及び上位階に設置されたテレビ付きのドアホン副親機３０は、バス配線でケーブル５０を介してドアホン親機２０と接続されている。ここに、本参考例では、各ドアホン副親機３０へのバス配線は、ドアホン親機２０から２系統配線されており、各系統のケーブル５０の終端はそれぞれ、終端装置６０で終端されている。このため、ドアホン親機２０からの映像信号の出力インピーダンスに関らず、各ケーブルの終端での映像信号の反射による画質劣化を生じない。終端装置６０は、例えば、ケーブルの特性インピーダンスと等しい大きさの抵抗で構成されている。
【００１５】
　しかして、本参考例では、ドアホン親機２０からドアホン副親機３０へ、ケーブル５０の特性インピーダンスと略等しいインピーダンスで終端されたバス配線を２系統設けたので、画質劣化なしに同一階や上位階の他の部屋への配線の引き回しを少なくでき、施工性を向上させることができる。
【００１６】
　（参考例２）
　本参考例の基本構成は従来構成と略同じであり、ドアホン親機２０における映像信号送信回路２０５を図６に示すような構成とし、ドアホン親機２０からドアホン副親機３０へのバス配線を１系統と２系統とで切り替えることができるようにした点が相違する。なお、ドアホン子機１０、ドホアン副親機３０の基本構成はそれぞれ、図９、図１１に示した従来構成と略同じなので説明を省略する。また、ドアホン親機２０についても従来構成と同じ構成要素には同一の符号を付し説明を省略する。
【００１７】
　本参考例におけるドアホン親機２０内の映像信号送信回路２０５は、図６に示すように、映像信号の伝送周波数帯域以外の信号を除去するための映像信号出力バンドパスフィルタ２２１と、トランジスタＱ０などにより構成され映像信号出力バンドパスフィルタ２２１から出力される映像信号を増幅する増幅回路と、２線伝送路の不平衡−平衡変換を行うための不平衡−平衡変換トランス２２２と、映像バッファアンプ２０４に接続するための端子２４５と、副親機用多重回路２１５へ接続するための端子２４６と、バス配線が１系統か２系統かでオンオフを切り替えるスイッチ２２３とを備えている。
【００１８】
　本参考例では、ケーブル５０（２線平衡ケーブル）の特性インピーダンスがｒ０の場合、図６中の抵抗Ｒ０の抵抗値をｒ０に設定する。また、図６中のチョークコイルＬは、映像信号の伝送周波数帯域で、そのインピーダンスがケーブル５０の特性インピーダンスｒ０よりも十分大きな値（Ｚ１）となるように構成されている。
【００１９】
　本参考例では、住戸内のバス配線が１系統の場合は、施工者が、スイッチ２２３を操作してオン状態にするようになっている。スイッチ２２３がオン状態になると、映像信号送信回路２０５の出力インピーダンスは、チョークコイルＬと抵抗Ｒ０の合成インピーダンス（ｒ０と同程度の値）となり、ケーブル５０の特性インピーダンスと略等しいインピーダンスとすることができる。
【００２０】
　ところで、図６に示す回路では、抵抗Ｒ01の抵抗値はｒ０／２に設定されており、映像信号は、増幅率が２（＝Ｒ０／Ｒ01）に設定された上述の増幅回路によって２倍に増幅しているが、これは、終端装置６０（インピーダンスｒ０）で終端したバス配線の端部では信号が２分の１になってしまうからである。
【００２１】
　また、住戸内のバス配線が２系統の場合は、施工者が、スイッチ２２３を操作してオフ状態にするようになっている。スイッチ２２３がオフ状態になると、映像信号送信回路２０５の出力インピーダンスはＺ１となり、ケーブル５０の特性インピーダンスｒ０よりも大きなインピーダンスにすることができる。
【００２２】
　また、ドアホン親機２０に、２系統のケーブルが接続されているか否を検知する構成を設けて、スイッチ２２３を制御するように構成してもよい。図７にその構成例を示す。図７に示すドアホン親機２０では、２系統目のケーブル５０が接続端子２２４に接続されているか否かを２系統接続検出回路２２５により検出しており、ＣＰＵ２１３が、２系統接続検出回路２２５からの検出信号に基づいてスイッチ２２３をオン／オフする制御信号を出力するようになっている。
【００２３】
　すなわち、このドアホン親機２０には、１系統目のバス配線（ケーブル５０）を接続する接続端子２２０の他に、２系統目のバス配線（ケーブル５０）を接続するための接続端子２２４が設けられ、接続端子２２４に２系統目のケーブル５０が接続されているかを検知する２系統接続検出回路２２５が設けられている。接続端子２２４は、接続端子２２０と同様に、副親機用多重回路２１５に接続されている。２系統接続検出回路２２５は、例えば、接続端子２２４にケーブル５０が挿入されたことを機械的なスイッチで検出するように構成してもよいし、接続端子２２４に接続されるケーブル５０の線間電圧などを測定して電気的に２系統目のケーブル５０を検出するようにしてもよい。
【００２４】
　しかして、本参考例では、映像信号送信回路２０５における増幅回路の出力インピーダンスを、住戸内におけるバス配線が１系統の場合はケーブル５０の特性インピーダンスと略等しいインピーダンスとし、バス配線が２系統の場合はケーブル５０の特性インピーダンスよりも大きなインピーダンスにすることにより、住戸内におけるバス配線が１系統であっても２系統であっても、映像信号の反射による画質劣化を防止することができるのである。
【００２５】
　（実施形態）
　図１に本実施形態のテレビドアホン装置の概略構成図を示す。なお、ドアホン子機１０及びドアホン副親機３０の基本構成は従来構成と同じなので、説明を省略する。図１におけるドアホン親機２０は、図２に示すような構成であって、本実施形態では、接続端子２２０にバス配線（ケーブル５０）が２系統接続され、各バス配線にドアホン副親機３０が接続され、各系統は終端装置６０により短絡されている。なお、図１中の音声回路２２９は、図２の２線４線変換回路２０６、ハンドセット２０９、通話切替スイッチ２１１、受話アンプ２０７、送話アンプ２０８により構成される。また、図１中の制御回路２３０は、図２の呼出釦押下検出回路２１２、ＣＰＵ２１３、制御信号変復調回路２１４により構成される。また、図１中の電源回路２３１は、図２の子機用ＤＣ電源重畳回路２１６、電源回路２１７、副親機用ＤＣ電源重畳回路２１８により構成される。なお、本実施形態におけるドアホン親機２０は、映像信号検出回路７０以外の構成は従来構成と同じなので、従来と同一の構成要素には同一の符号を付してあり、説明を省略する。
【００２６】
　映像信号出力回路７０は、図３に示すように、映像信号帯域フィルタ２２６を通過した映像信号を増幅する映像信号増幅回路２２７と、映像信号出力トランス回路２２８とで構成してある。なお、映像信号帯域フィルタ２２６は、映像信号（ＦＭ映像信号）の伝送周波数帯域のみを通過させ不要輻射を出さないようにするためのフィルタである。
【００２７】
　ここに、映像信号増幅回路２２７は、トランジスタＱ１を含むエミッタ接地増幅回路と、トランジスタＱ２を含むエミッタフォロア回路とで構成される。エミッタ接地増幅回路は、映像信号をハイインピーダンスで出力することによる電力ロスおよび後述のトランスＴ１の挿入損を補うためのものであり、エミッタフォロア回路は、トランジスタＱ１のベース・エミッタ間の容量によるインピーダンスの低下によって映像信号増幅回路２２７と映像信号帯域フィルタ２２６との間でインピーダンス不整合が生じるのを防ぐためのインピーダンス変換回路を構成するものである。
【００２８】
　映像信号出力トランス回路２２８は、トランスＴ１の二次側がコンデンサＣ２，Ｃ３及び副親機用多重回路２１５を介してケーブル５０に接続される。ここで、ケーブル５０には、図１に示したように少なくとも１つのドアホン副親機３０が接続されている。
【００２９】
　トランスＴ１は、１次側が抵抗Ｒ４とトランジスタＱ１のコレクタとの間に直列に接続される。抵抗Ｒ４は、電源Ｖｃｃの電圧とトランジスタＱ１のコレクタ電圧の電圧差が映像信号の振幅よりも大きくなるようにして、映像信号が飽和しないように映像信号増幅回路２２７の動作点を設定するためのものである。
【００３０】
　ところで、トランスＴ１は、そのインダクタンス値が映像信号の周波数帯域において、ケーブル５０の特性インピーダンスＺ０よりも十分大きなインピーダンスＺを有するように構成してある。なお、インピーダンスＺは、映像信号の周波数をｆ、トランスＴ１のインダクタンス値をＬとすると、Ｚ＝２πｆＬとなる。
【００３１】
　いま、映像信号増幅回路２２７の直流利得をＧｄ、トランジスタＱ１のエミッタ抵抗ＲＥの抵抗値をｒｅ、抵抗Ｒ４の抵抗値をｒ４とすると、Ｇｄ＝ｒ４／ｒｅとなる。
【００３２】
　抵抗Ｒ４に並列接続されるコンデンサＣ１は、映像信号増幅回路２２７の交流利得ＧがトランスＴ１の一次側のインピーダンスＺとエミッタ抵抗ＲＥの抵抗値ｒｅの比となるよう映像信号の周波数帯域で抵抗Ｒ４をバイパスするためのものであり、映像信号の周波数帯域において十分小さいインピーダンス値を有する。したがって、映像信号の周波数帯域での交流利得Ｇは、Ｇ＝Ｚ／ｒｅとなる。
【００３３】
　ところで、上述のように各ケーブル５０は終端装置６０によって短絡されているが、終端装置６０は、ケーブル５０の特性インピーダンスＺ０と等しいインピーダンスで短絡されている。一方、上述のインピーダンスＺはインピーダンスＺ０よりも十分大きなインピーダンスなので、トランスＴ１の一次側のインピーダンスＺは、Ｚ≒Ｚ０／２となる。したがって、映像信号出力回路７０からケーブル５０側をみたインピーダンスは略Ｚ０／２となり、ケーブル５０側から映像信号出力回路７０側を見たインピーダンスはＺ０よりも十分大きな（例えば１０倍以上の）値となる。
【００３４】
　しかして、本実施形態においても、画質劣化なしに同一階や上位階の他の部屋への配線の引き回しを少なくでき、施工性を向上させることができる。
【００３５】
　また、本実施形態のテレビドアホン装置においてドアホン副親機３０が接続されるバス配線（ケーブル５０）をドアホン親機２０より１系統しか配線しない場合は、ケーブル５０の最遠端をケーブル５０の特性インピーダンスＺ０と等しいインピーダンスを有する終端装置６０で終端するとともに、ドアホン親機２０の出力端子（接続端子２２０）間にもケーブル５０の特性インピーダンスＺ０と等しいインピーダンスを有する素子を接続することにより、ケーブル５０の両端をインピーダンス整合すればよい。したがって、バス配線が１系統の場合と２系統の場合とで参考例２のようにドアホン親機２０の回路を切り替える必要がなく、終端インピーダンスの脱着のみで変更できるから、回路構成が簡単になり、低コスト化が図れる。
【図面の簡単な説明】
【００３６】
【図１】実施形態を示す概略ブロック図である。
【図２】同上におけるドアホン親機のブロック図である。
【図３】同上におけるドアホン親機の要部回路図である。
【図４】参考例１を示し、住戸内におけるバス配線の説明図である。
【図５】同上を示し、住戸内におけるバス配線の他の説明図である。
【図６】参考例２に用いる映像信号送信回路を示すブロック図である。
【図７】参考例２に用いる親機を示すブロック図である。
【図８】従来のテレビドアホン装置の一例を示すブロック図である。
【図９】同上に用いるドアホン子機の一例を示すブロック図である。
【図１０】同上に用いるドアホン親機の一例を示すブロック図である。
【図１１】同上に用いるドアホン副親機の一例を示すブロック図である。
【図１２】同上の住戸内におけるバス配線の説明図である。
【図１３】同上の住戸内におけるバス配線の他の説明図である。
【符号の説明】
【００３７】
　１０　ドアホン子機
　２０　ドアホン親機
　３０　ドアホン副親機
　４０　ケーブル
　５０　ケーブル
　６０　終端装置
　７０　映像信号出力回路
　２２７　映像信号増幅回路
　２２８　映像信号出力トランス回路
　Ｔ１　トランス
　Ｑ１　トランジスタ
【図１】
2004007824.tif 000003
【図２】
2004007824.tif 000004
【図３】
2004007824.tif 000005
【図４】
2004007824.tif 000006
【図５】
2004007824.tif 000007
【図６】
2004007824.tif 000008
【図７】
2004007824.tif 000009
【図８】
2004007824.tif 000010
【図９】
2004007824.tif 000011
【図１０】
2004007824.tif 000012
【図１１】
2004007824.tif 000013
【図１２】
2004007824.tif 000014
【図１３】
2004007824.tif 000015